(57)【要約】  回路規模を大きくすることなく、また消費電力を増加させることなく、干渉キャンセラの特性を向上させることができるとともに、受信性能を向上させることができる無線通信装置。この装置では、チャネル推定部（３０１）は、マルチパスフェージングを受けた受信信号より各パスのチャネル推定値及びチャネル推定値の分散値をセル毎に求める。チャネル電力算出部（３０３）は、各パスのチャネル推定値の電力のセル毎の電力総和を算出する。受信信号電力算出部（３０４）は、受信信号の受信電力を算出する。指数算出部（３０５）は、チャネル推定値と分散値と電力総和と受信電力とに基づいて熱雑音電力指数を算出するとともに、チャネル推定値と分散値と受信電力とに基づいて干渉セルの受信電力指数を算出する。
2011013343.tif 000002
【特許請求の範囲】
【請求項１】
マルチパスフェージングを受けた受信信号より各パスのチャネル推定値及び前記チャネル推定値の分散値をセル毎に求めるチャネル推定手段と、
各パスの前記チャネル推定値の電力のセル毎の電力総和を算出する電力総和算出手段と、
前記受信信号の受信電力を算出する受信電力算出手段と、
前記チャネル推定値と前記分散値と前記電力総和と前記受信電力とに基づいて熱雑音電力指数を算出するとともに、前記チャネル推定値と前記分散値と前記受信電力とに基づいて干渉セルの受信電力指数を算出する指数算出手段と、
前記熱雑音電力指数及び前記干渉セルの受信電力指数により求めたフィルタ係数で前記受信信号をフィルタリングすることにより、前記受信信号に含まれる干渉セルの干渉成分を除去する干渉キャンセル手段と、
を具備する無線通信装置。
【請求項２】
前記指数算出手段は、前記電力総和が閾値以上のセルの前記干渉セルの受信電力指数を算出する請求項１記載の無線通信装置。
【請求項３】
前記指数算出手段は、（１）式により前記熱雑音電力指数を算出する請求項１記載の無線通信装置。
【数１】
2011013343.tif 000010
【請求項４】
前記指数算出手段は、（２）式により前記干渉セルの受信電力指数を算出する請求項１記載の無線通信装置。
【数２】
2011013343.tif 000011
【請求項５】
複数のアンテナにより前記受信信号を受信する受信手段をさらに具備し、
前記指数算出手段は、前記アンテナ毎に前記熱雑音電力指数を算出する請求項１記載の無線通信装置。
【請求項６】
複数のアンテナにより前記受信信号を受信する受信手段をさらに具備し、
前記指数算出手段は、前記アンテナ毎に前記干渉セルの受信電力指数を算出する請求項１記載の無線通信装置。
【請求項７】
受信信号より干渉セルの干渉成分を除去して所望セルの信号を検出する無線通信装置における信号検出方法であって、
マルチパスフェージングを受けた受信信号より各パスのチャネル推定値及び前記チャネル推定値の分散値をセル毎に求めるステップと、
各パスの前記チャネル推定値の電力のセル毎の電力総和を算出するステップと、
前記受信信号の受信電力を算出するステップと、
前記チャネル推定値と前記分散値と前記電力総和と前記受信電力とに基づいて熱雑音電力指数を算出するとともに、前記チャネル推定値と前記分散値と前記受信電力とに基づいて前記干渉セルの受信電力指数を算出するステップと、
前記熱雑音電力指数及び前記干渉セルの受信電力指数により求めたフィルタ係数で前記受信信号をフィルタリングすることにより、前記受信信号に含まれる干渉セルの干渉成分を除去した信号を検出するステップと、
を具備する信号検出方法。
【発明の詳細な説明】
【技術分野】
【０００１】
本発明は、無線通信装置及び信号検出方法に関し、特に受信信号から干渉セルの干渉成分を除去する干渉キャンセラを備えた無線通信装置及び信号検出方法に関する。
【背景技術】
【０００２】
従来、ＨＳＤＰＡ(High Speed Downlink Packet Access)等の、ＣＤＭＡの高速化通信システムが知られている。このようなＣＤＭＡの高速化通信システムにおいて、ＣＤＭＡ受信機は、基地局の近傍において通信する場合には、通信品質が良く、高レートでの通信が可能である。一方、ＣＤＭＡ受信機は、基地局から遠いセルエッジにおいて通信する場合には、隣接セルからの干渉が大きく、通信可能なレートを低く抑えられてしまう。【０００３】
また、従来、ＣＤＭＡ受信機において、セルエッジにおけるレートの低下を防ぐために、干渉セルとなる他セルの信号を除去する干渉キャンセラを用いて、受信性能の向上を図るものが知られている（例えば、特許文献１及び特許文献２）。干渉キャンセラを用いて干渉セルの信号を除去するためには、干渉セルのチャネル推定を実施するとともに、干渉セルの受信電力及び熱雑音電力を正確に求める必要がある。【０００４】
また、従来、他セルで使用されている拡散コードを全て推定することにより、干渉セルとなる他セルの受信電力を推定する方法が知られている（例えば、特許文献３）。
【先行技術文献】
【特許文献】
【０００５】
【特許文献１】特開２００５−３２８３１１号公報
【特許文献２】特開２００６−５４９００号公報
【特許文献３】米国特許第６９５６８９３号明細書
【発明の概要】
【発明が解決しようとする課題】
【０００６】
しかしながら、特許文献１及び特許文献２においては、干渉セルの受信電力と熱雑音電力との両方を含む熱雑音電力が推定され、正しく熱雑音電力を算出できないことにより、干渉キャンセラの性能が低下するという問題がある。また、特許文献３においては、干渉セルの受信電力を推定できるので、特許文献１及び特許文献２の方法により求めた熱雑音電力から、特許文献３の方法により求めた干渉セルの受信電力を取り除くことにより、精度良く熱雑音電力を求めることができる。しかし、特許文献３においては、逆拡散器を多数必要とするので、回路規模が大きくなるとともに消費電力が増加するという問題がある。【０００７】
本発明の目的は、回路規模を大きくすることなく、また消費電力を増加させることなく、干渉キャンセラの特性を向上させることができるとともに、受信性能を向上させることができる無線通信装置及び信号検出方法を提供することである。
【課題を解決するための手段】
【０００８】
本発明の無線通信装置は、マルチパスフェージングを受けた受信信号より各パスのチャネル推定値及び前記チャネル推定値の分散値をセル毎に求めるチャネル推定手段と、各パスの前記チャネル推定値の電力のセル毎の電力総和を算出する電力総和算出手段と、前記受信信号の受信電力を算出する受信電力算出手段と、前記チャネル推定値と前記分散値と前記電力総和と前記受信電力とに基づいて熱雑音電力指数を算出するとともに、前記チャネル推定値と前記分散値と前記受信電力とに基づいて干渉セルの受信電力指数を算出する指数算出手段と、前記熱雑音電力指数及び前記干渉セルの受信電力指数により求めたフィルタ係数で前記受信信号をフィルタリングすることにより、前記受信信号に含まれる干渉セルの干渉成分を除去する干渉キャンセル手段と、を具備する構成を採る。【０００９】
本発明の信号検出方法は、受信信号より干渉セルの干渉成分を除去して所望セルの信号を検出する無線通信装置における信号検出方法であって、マルチパスフェージングを受けた受信信号より各パスのチャネル推定値及び前記チャネル推定値の分散値をセル毎に求めるステップと、各パスの前記チャネル推定値の電力のセル毎の電力総和を算出するステップと、前記受信信号の受信電力を算出するステップと、前記チャネル推定値と前記分散値と前記電力総和と前記受信電力とに基づいて熱雑音電力指数を算出するとともに、前記チャネル推定値と前記分散値と前記受信電力とに基づいて前記干渉セルの受信電力指数を算出するステップと、前記熱雑音電力指数及び前記干渉セルの受信電力指数により求めたフィルタ係数で前記受信信号をフィルタリングすることにより、前記受信信号に含まれる干渉セルの干渉成分を除去した信号を検出するステップと、を具備するようにした。
【発明の効果】
【００１０】
本発明によれば、回路規模を大きくすることなく、また消費電力を増加させることなく、干渉キャンセラの特性を向上させることができるとともに、受信性能を向上させることができる。
【図面の簡単な説明】
【００１１】
【図１】本発明の実施の形態１に係る通信システムを示す図
【図２】本発明の実施の形態１に係る無線通信装置の構成を示すブロック図
【図３】本発明の実施の形態１に係る復調部の構成を示すブロック図
【図４】本発明の実施の形態１に係る復調部の動作を示すフロー図
【図５】本発明の実施の形態１に係るＣＤＭＡ逆拡散処理後のスペクトル概念図
【図６】本発明の実施の形態２に係る復調部の構成を示すブロック図
【発明を実施するための形態】
【００１２】
以下、本発明の実施の形態について、図面を参照して詳細に説明する。
【００１３】
（実施の形態１）
図１は、本発明の実施の形態１に係る通信システムの構成を示す図である。
【００１４】
図１より、本実施の形態における通信システムは、複数の干渉局２０−１〜２０−ｊ（ｊは、干渉局の数を示す任意の自然数）と、所望局３０と、携帯電話等の無線通信装置１００とから主に構成される。
【００１５】
図１において、干渉局２０−１〜２０−ｊは、所望局３０の隣接セルを構成する。無線通信装置１００は、所望局３０のセル内で所望局３０と通信を行っている。この際、無線通信装置１００は、所望局３０からの信号を受信するとともに、干渉局２０−１〜２０−ｊからの信号も受信する。
【００１６】
従って、無線通信装置１００は、受信信号に含まれる干渉局２０−１〜２０−ｊによる干渉成分を、受信信号から精度良く除去することにより、所望局３０の信号を精度良く検出することができる。
【００１７】
次に、無線通信装置１００の構成について、図２を用いて説明する。図２は、無線通信装置１００の構成を示すブロック図である。無線通信装置１００は、例えばＣＤＭＡ受信機である。
【００１８】
無線通信装置１００は、アンテナ１０１と、無線部１０２と、アナログ／ディジタル（以下「Ａ／Ｄ」と記載する）変換部１０３と、復調部１０４と、復号部１０５とから主に構成される。以下に、各構成について、詳細に説明する。
【００１９】
アンテナ１０１は、所望局及び干渉局より送信されたＣＤＭＡ信号を受信して無線部１０２へ出力する。
【００２０】
無線部１０２は、アンテナ１０１から入力したＣＤＭＡ信号に対して、ローパスフィルタまたはバンドパスフィルタを用いたフィルタ処理を行う。そして、無線部１０２は、フィルタ処理したＣＤＭＡ信号をＡ／Ｄ変換部１０３へ出力する。
【００２１】
Ａ／Ｄ変換部１０３は、無線部１０２から入力したアナログ信号であるＣＤＭＡ信号をディジタル信号に変換して復調部１０４へ出力する。
【００２２】
復調部１０４は、Ａ／Ｄ変換部１０３から入力したディジタル信号を復調して復号部１０５へ出力する。この際、復調部１０４は、受信信号から干渉セルの干渉成分を除去する処理を行う。なお、復調部１０４の構成の詳細については後述する。
【００２３】
復号部１０５は、復調部１０４から入力した復調後の信号を復号し、復号結果をデータとして出力する。
【００２４】
次に、復調部１０４の構成の詳細について、図３を用いて説明する。図３は、復調部１０４の構成を示すブロック図である。
【００２５】
復調部１０４は、チャネル推定部３０１と、最大電力チャネル推定選択部３０２と、チャネル電力算出部３０３と、受信信号電力算出部３０４と、指数算出部３０５と、干渉キャンセル部３０６とから主に構成される。以下に、各構成について、詳細に説明する。
【００２６】
チャネル推定部３０１は、Ａ／Ｄ変換部１０３から入力したディジタル信号より、マルチパスフェージングを構成するパス毎に、所望セル（所望局）及び干渉セル（干渉局）のチャネル推定値及びチャネル推定値の分散値を算出する。そして、チャネル推定部３０１は、算出した各パスのチャネル推定値を最大電力チャネル推定選択部３０２とチャネル電力算出部３０３と干渉キャンセル部３０６へ出力するとともに、算出した各パスのチャネル推定値の分散値を最大電力チャネル推定選択部３０２へ出力する。
【００２７】
最大電力チャネル推定選択部３０２は、チャネル推定部３０１から入力した各パスのチャネル推定値及びチャネル推定値の分散値の中から、最大電力を有するパスのチャネル推定値及びチャネル推定値の分散値をセル毎に選択する。そして、最大電力チャネル推定選択部３０２は、選択した各パスのチャネル推定値及びチャネル推定値の分散値を指数算出部３０５へ出力する。
【００２８】
チャネル電力算出部３０３は、チャネル推定部３０１から入力した各パスのチャネル推定値から各パスの電力値を求め、求めた各パスの電力値をセル毎に加算することにより、各セルのチャネル推定値の電力総和を算出する。そして、チャネル電力算出部３０３は、電力総和の算出値を指数算出部３０５へ出力する。
【００２９】
受信信号電力算出部３０４は、Ａ／Ｄ変換部１０３から入力したディジタル信号の受信電力を算出する。そして、受信信号電力算出部３０４は、受信電力の算出値を指数算出部３０５へ出力する。
【００３０】
指数算出部３０５は、最大電力チャネル推定選択部３０２から入力した最大電力を有するパスのチャネル推定値及び分散値と、チャネル電力算出部３０３から入力した電力総和の算出値と、受信信号電力算出部３０４から入力した受信電力の算出値とに基づいて、熱雑音電力指数を算出する。また、指数算出部３０５は、最大電力チャネル推定選択部３０２から入力した最大電力を有するパスのチャネル推定値及び分散値と、受信信号電力算出部３０４から入力した受信電力の算出値とに基づいて、干渉セルの受信電力指数を算出する。即ち、指数算出部３０５は、熱雑音電力指数と干渉セルの受信電力指数とを個別に算出する。そして、指数算出部３０５は、算出した熱雑音電力指数及び干渉セルの受信電力指数を干渉キャンセル部３０６へ出力する。なお、熱雑音指数及び干渉セルの受信電力指数を求める方法については後述する。
【００３１】
干渉キャンセル部３０６は、チャネル推定部３０１から入力した各セルのチャネル推定値と、指数算出部３０５から入力した熱雑音電力指数及び干渉セルの受信電力指数とに基づいて、Ａ／Ｄ変換部１０３から入力したディジタル信号に対して、マルチパスによる直交性を復元し、かつ干渉セルの干渉成分を除去するフィルタリング処理を行う。そして、干渉キャンセル部３０６は、干渉成分を除去したディジタル信号を復調後の信号として復号部１０５へ出力する。
【００３２】
以上で、復調部１０４の構成の説明を終える。
【００３３】
次に、復調部１０４の動作について、図４を用いて説明する。図４は、復調部１０４の動作を示すフロー図である。
【００３４】
最初に、チャネル推定部３０１は、Ａ／Ｄ変換部１０３から入力したディジタル信号より、マルチパスフェージングを構成する、互いに分離可能な個々のパス毎に逆拡散処理する（ステップＳＴ４０１）。この際、チャネル推定部３０１は、所望セルと干渉セルの双方について、パイロットチャネル等の特定のチャネルのみを逆拡散すればよい。
【００３５】
また、チャネル推定部３０１は、逆拡散した信号より、パス毎のチャネル推定値及びチャネル推定値の分散値を算出する（ステップＳＴ４０２）。また、ステップＳＴ４０１及びステップＳＴ４０２の処理は、マルチパスを構成する各パスについて行う。
【００３６】
次に、最大電力チャネル推定選択部３０２は、パス毎のチャネル推定値の電力値を算出し、算出した電力値のなかの最大電力のパスのチャネル推定値及びチャネル推定値の分散値を選択する（ステップＳＴ４０３）。
【００３７】
また、チャネル電力算出部３０３は、パス毎のチャネル推定値を２乗し、２乗した各チャネル推定値の総和を求めることによりチャネル電力を算出する（ステップＳＴ４０４）。また、ステップＳＴ４０３及びステップＳＴ４０４の処理は各セルについて行う。
【００３８】
また、受信信号電力算出部３０４は、Ａ／Ｄ変換部１０３から入力したディジタル信号を２乗して、一定区間積和した値を平均化することによって受信信号の受信電力を算出する（ステップＳＴ４０５）。
【００３９】
次に、指数算出部３０５は、セル毎の最大電力のパスのチャネル推定値及びチャネル推定値の分散値と、セル毎の電力総和と、受信信号の受信電力とを用いて、熱雑音電力指数βを算出する。具体的には、指数算出部３０５は、以下の（１）式を用いて熱雑音電力指数βを算出する（ステップＳＴ４０６）。なお、熱雑音電力指数βが（１）式によって算出できることについては後述する。
【数１】
2011013343.tif 000003
【００４０】
次に、指数算出部３０５は、セル毎の最大電力のパスのチャネル推定値及びチャネル推定値の分散値と、受信信号の受信電力とを用いて、干渉セルの受信電力指数γｊを算出する。具体的には、指数算出部３０５は、以下の（２）式を用いて干渉セルの受信電力指数γｊを算出する（ステップＳＴ４０７）。なお、干渉セルの受信電力指数γｊが（２）式によって算出できることについては後述する。
【数２】
2011013343.tif 000004
【００４１】
次に、干渉キャンセル部３０６は、セル毎のチャネル推定値と熱雑音指数と干渉セルの受信電力指数とを用いて、マルチパスによる直交性を復元し、かつ干渉セルからの干渉を除去するようなＦＩＲフィルタ係数を算出する（ステップＳＴ４０８）。具体的には、干渉キャンセル部３０６は、以下の（３）式のようなマトリックスを構築する。
【数３】
2011013343.tif 000005
【００４２】
また、干渉キャンセル部３０６は、以下の（４）式によりフィルタ係数Ｗを算出する。
【数４】
2011013343.tif 000006
【００４３】
また、干渉キャンセル部３０６は、算出したフィルタ係数を用いて、Ａ／Ｄ変換部１０３から入力したディジタル信号をＦＩＲフィルタリングする（ステップＳＴ４０９）。
【００４４】
次に、干渉キャンセル部３０６は、ＦＩＲフィルタリングした信号を逆拡散処理する（ステップＳＴ４１０）。この際、干渉キャンセル部３０６は、干渉セルについては逆拡散処理を実施しない。
【００４５】
そして、干渉キャンセル部３０６は、逆拡散処理後の信号を復調後の信号として復号部１０５へ出力する。以上で、復調部１０４の動作の説明を終える。
【００４６】
次に、（１）式により熱雑音電力指数βが算出できるとともに、（２）式により干渉セルの受信電力指数γｊが算出できる理由について、図５を用いて説明する。図５は、ＣＤＭＡ逆拡散処理後のスペクトル概念図である。
【００４７】
まず、干渉セルを考慮した時刻ｎの受信信号ｒ（ｎ）のモデル式である（５）式を設定する。
【数５】
2011013343.tif 000007
【００４８】
（５）式の両辺を２乗すると、受信信号の受信電力のモデル式である（６）式が得られる。
【数６】
2011013343.tif 000008
【００４９】
次に、干渉セルを考慮したチャネル推定値の分散モデル式を設定する。図５に示すように、例えば、所望セルのマルチパスの各パスについて、逆拡散処理及びチャネル推定を実施した場合、チャネル推定値の分散には、所望セルの他のパスからの干渉＃５０１と、干渉セルからの干渉＃５０２と、熱雑音成分＃５０３とが含まれる。このチャネル推定値の分散モデル式は、以下の（７）式のようになる。
【数７】
2011013343.tif 000009
【００５０】
同様に、干渉セルのマルチパスの各パスについて、逆拡散処理及びチャネル推定を実施した場合のチャネル推定値の分散モデル式を、干渉セル数分（Ｊ個）設定する。
【００５１】
（６）式及び（Ｊ＋１）個の（７）式において、未知数は、所望セルからの受信電力と、干渉セルからの受信電力と、熱雑音電力との（Ｊ＋２）個となるので、（Ｊ＋２）元１次方程式を解くことによって、熱雑音電力及び干渉セルの受信電力を算出できる。これらを用いて、（１）式により熱雑音電力指数βを算出することができるとともに、（２）式により干渉セルの受信電力指数γｊを算出することができる。
【００５２】
本実施の形態において、１つのアンテナにより受信することにしたが、本実施の形態はこれに限らず、複数のアンテナにより受信するようにしても良い。この場合、アンテナ毎に熱雑音電力指数及び干渉セルの受信電力指数を算出することができる。また、アンテナ毎に算出した熱雑音電力指数及び干渉セルの受信電力指数をアンテナ間で平均化することにより、さらに高精度に熱雑音電力指数及び干渉セルの受信電力指数を算出することができる。
【００５３】
このように、本実施の形態によれば、干渉セルの受信電力指数と熱雑音電力指数とを分離して推定することにより、熱雑音電力の推定精度を向上させることができ、干渉キャンセラの特性を向上させることができるとともに、受信性能を向上させることができる。また、本実施の形態によれば、干渉セルについては、パイロットチャネル等の特定のチャネルのみを逆拡散処理すればよいので、回路規模を抑制することができるとともに、消費電力を低減することができる。
【００５４】
（実施の形態２）
図６は、本発明の実施の形態２に係る復調部６００の構成を示すブロック図である。
【００５５】
図６に示す復調部６００は、図３に示す実施の形態１に係る復調部１０４に対して、干渉対象セル数判定部６０１を追加し、指数算出部３０５の代わりに指数算出部６０２を有し、干渉キャンセル部３０６の代わりに干渉キャンセル部６０３を有する。なお、図６において、図３と同一構成である部分には同一の符号を付してその説明を省略する。また、本実施の形態において、通信システムの構成は図１と同一であるとともに、無線通信装置の構成は、復調部１０４の代わりに復調部６００を有する以外は図２と同一であるので、その説明を省略する。
【００５６】
チャネル推定部３０１は、Ａ／Ｄ変換部１０３から入力したディジタル信号より、マルチパスフェージングを構成するパス毎に、所望セル（所望局）及び干渉セル（干渉局）のチャネル推定値及びチャネル推定値の分散値を算出する。そして、チャネル推定部３０１は、算出した各パスのチャネル推定値を最大電力チャネル推定選択部３０２とチャネル電力算出部３０３と干渉キャンセル部６０３へ出力するとともに、算出した各パスのチャネル推定値の分散値を最大電力チャネル推定選択部３０２へ出力する。
【００５７】
最大電力チャネル推定選択部３０２は、チャネル推定部３０１から入力した各パスのチャネル推定値及びチャネル推定値の分散値の中から、最大電力を有するパスのチャネル推定値及びチャネル推定値の分散値をセル毎に選択する。そして、最大電力チャネル推定選択部３０２は、選択した各パスのチャネル推定値及びチャネル推定値の分散値を指数算出部６０２へ出力する。
【００５８】
受信信号電力算出部３０４は、Ａ／Ｄ変換部１０３から入力した受信信号の受信電力を算出する。そして、受信信号電力算出部３０４は、受信電力の算出値を指数算出部６０２へ出力する。
【００５９】
チャネル電力算出部３０３は、チャネル推定部３０１から入力した各パスのチャネル推定値から各パスの電力値を求め、求めた各パスの電力値をセル毎に加算することにより、各セルのチャネル推定値の電力総和を算出する。そして、チャネル電力算出部３０３は、電力総和の算出値を干渉対象セル数判定部６０１へ出力する。
【００６０】
干渉対象セル数判定部６０１は、チャネル電力算出部３０３から入力した電力総和の算出値が閾値より大きい場合には入力した電力総和を指数算出部６０２へ出力する。また、干渉対象セル数判定部６０１は、チャネル電力算出部３０３から入力した電力総和の算出値が閾値以下の場合には入力した電力総和を指数算出部６０２へ出力しない。また、干渉対象セル数判定部６０１は、閾値より大きい電力総和の算出値のセルを干渉対象セルとしてカウントする。そして、干渉対象セル数判定部６０１は、カウント値を干渉対象セル数として指数算出部６０２及び干渉キャンセル部６０３へ出力する。
【００６１】
指数算出部６０２は、最大電力チャネル推定選択部３０２から入力した最大電力を有するパスのチャネル推定値及び分散値と、干渉対象セル数判定部６０１から入力した電力総和の算出値と、受信信号電力算出部３０４から入力した受信電力の算出値とに基づいて、熱雑音電力指数及び干渉セルの受信電力指数を算出する。この際、指数算出部６０２は、干渉対象セル数判定部６０１から入力した干渉対象セル数に基づいて、干渉対象セル以外のセルを除いた演算により、熱雑音電力指数及び干渉セルの受信電力指数を算出する。そして、指数算出部６０２は、算出した熱雑音電力指数及び干渉セルの受信電力指数を干渉キャンセル部６０３へ出力する。
【００６２】
干渉キャンセル部６０３は、チャネル推定部３０１から入力した各セルのチャネル推定値と、指数算出部６０２から入力した熱雑音電力指数及び干渉セルの受信電力指数とに基づいて、Ａ／Ｄ変換部１０３から入力したディジタル信号に対して、マルチパスによる直交性を復元し、かつ干渉セルの干渉成分を除去するフィルタリング処理を行う。この際、干渉キャンセル部６０３は、干渉対象セル数判定部６０１から入力した干渉対象セル数に基づいて、干渉対象セル以外のセルの干渉は除去しない。そして、干渉キャンセル部６０３は、干渉成分を除去したディジタル信号を復調後の信号として復号部１０５へ出力する。
【００６３】
なお、復調部６００の動作は、干渉対象セル以外のセルを除いて演算及び処理を行う以外は図４と同一であるので、その説明を省略する。また、本実施の形態において、上記の実施の形態１と同様に、複数のアンテナにより信号を受信するようにしても良い。
【００６４】
このように、本実施の形態によれば、上記の実施の形態１の効果に加えて、電力総和の算出値が閾値以下の干渉対象ではないセルの受信電力指数の算出及び干渉対象ではないセルの信号検出を行わないので、消費電力をさらに低減することができる。
【００６５】
２００９年７月２９日出願の特願２００９−１７６７５９の日本出願に含まれる明細書、図面及び要約書の開示内容は、すべて本願に援用される。
【産業上の利用可能性】
【００６６】
本発明にかかる無線通信装置及び信号検出方法は、特に干渉キャンセラにより受信信号から干渉セルの干渉成分を除去するのに好適である。
【図１】
2011013343.tif 000012
【図２】
2011013343.tif 000013
【図３】
2011013343.tif 000014
【図４】
2011013343.tif 000015
【図５】
2011013343.tif 000016
【図６】
2011013343.tif 000017
【国際調査報告】
2011013343.tif 000018
2011013343.tif 000019